(57)【要約】【課題】記録媒体の詰まり等によるジョブ中断のエラーが生じた場合であっても、ジョブの実行が可能な代替案を示すことでユーザの利便性を向上させることができる画像形成装置を提供する。【解決手段】画像形成装置としての複合機１は、印刷用紙の詰まりを検出する各種センサ群３４と、印刷用紙の詰まりが生じた旨をユーザに通知するエラー通知画面を表示する操作表示部４０と、各種センサ群３４で印刷用紙の詰まりが検出された場合に、各種センサ群３４の検出結果に基づいて使用可能な機能を判断し、使用可能と判断した機能の使用をユーザによって選択させる選択画面をエラー通知画面とともに操作表示部４０に表示させるＣＰＵ３１とを備える。【選択図】図２
2010280097.tif 000002
【特許請求の範囲】
【請求項１】
記録媒体に画像を形成する画像形成装置において、
前記記録媒体の詰まりを検出する検出手段と、
前記記録媒体の詰まりが生じた旨をユーザに通知するエラー通知画面を表示する表示手段と、
前記検出手段で前記記録媒体の詰まりが検出された場合に、前記検出手段の検出結果に基づいて使用可能な機能を判断し、使用可能と判断した機能の使用をユーザによって選択させる選択画面を前記エラー通知画面とともに前記表示手段に表示させる制御手段と
を備えることを特徴とする画像形成装置。
【請求項２】
前記記録媒体の供給元及び前記記録媒体の排出先の少なくとも一方が変更可能な搬送手段を備えており、
前記制御手段は、前記検出手段で前記記録媒体の詰まりが検出された場合に、前記記録媒体の供給元及び前記記録媒体の排出先の少なくとも一方の変更によって前記記録媒体に画像を形成する画像形成機能が使用可能であるか否かを判断する
ことを特徴とする請求項１記載の画像形成装置。
【請求項３】
前記選択画面には、前記記録媒体の供給元を変更させるための第１ボタン及び前記記録媒体の排出先を変更させるための第２ボタンの少なくとも一方のボタンが含まれることを特徴とする請求項２記載の画像形成装置。
【請求項４】
前記記録媒体に形成すべき画像の読み取りを行う読取手段を備えており、
前記制御手段は、前記検出手段で前記記録媒体の詰まりが検出された場合に、読取手段で前記画像の読み取りが可能であるか否かを判断する
ことを特徴とする請求項１から請求項３の何れか一項に記載の画像形成装置。
【請求項５】
前記選択画面には、前記読取手段の使用を可能にするための第３ボタンが含まれることを特徴とする請求項４記載の画像形成装置。
【請求項６】
前記制御手段は、前記選択画面が前記エラー表示画面に含まれるように、前記選択画面及び前記エラー通知画面を前記前記表示手段に表示させることを特徴とする請求項１から請求項５の何れか一項に記載の画像形成装置。
【発明の詳細な説明】
【技術分野】
【０００１】
本発明は、複写機、プリンタ、ファクシミリ装置、複合機等の画像形成装置に関する。
【背景技術】
【０００２】
複写機、プリンタ、ファクシミリ装置、複合機等の画像形成装置は、印刷用紙等の記録媒体に画像を形成するために、記録媒体を搬送する搬送装置、記録媒体上に画像を転写する転写装置、転写された画像を記録媒体上に定着させる定着装置を備える。搬送装置は、記録媒体を転写装置及び定着装置に順次供給するとともに、定着装置を介した記録媒体を排出する。転写装置は、例えば感光ドラム上にレーザ光等を照射して静電潜像を形成し、静電潜像にトナーを付着させることにより記録媒体に画像を転写する。また、定着装置は、画像が転写された記録媒体を一対の定着ローラ間を通過させて所定の圧力及び加熱を加えることにより画像を記録媒体上に定着させる。
【０００３】
このような画像形成装置では、搬送装置で搬送される記録媒体、又は転写装置若しくは定着装置を介する記録媒体の詰まり（紙詰まり：ジャム）が生ずることがしばしばある。記録媒体の詰まりが生じた場合には、タッチパネル等の表示装置に詰まりが生じた旨とともにその記録媒体の除去をユーザに促すエラー表示がなされ、記録媒体に画像を形成する機能の使用が不可になる。エラー表示がなされた後にエラー表示に従ってユーザがその記録媒体を除去すれば、エラー表示が解除されるとともに記録媒体に画像を形成する機能の使用が可能になる。
【０００４】
以下の特許文献１には、画像形成装置でのジョブをキャンセルする処理（ジョブキャンセル処理）の開始時に画像形成ジョブの受信処理を中止し、ホストＩ／Ｆをエラー状態に変更して既に受信済みのデータを破棄することで、ジョブキャンセル処理が開始されてから再度画像形成が可能な状態になるまでの時間を短縮する技術が開示されている。また、以下の特許文献２には、印刷処理中にキャンセル指示がなされた場合に、送受信バッファ内を検索してキャンセルされたジョブの終了を示すマークまでの間のデータを破棄することにより、後続する他の印刷ジョブに影響を与えることなく、速やかに印刷ジョブのキャンセルを行うことができる技術が開示されている。
【０００５】
また、以下の特許文献３，４には、印刷ジョブをユーザの所望の方法でキャンセルことが可能な技術が開示されている。具体的に、以下の特許文献３には、印刷ジョブのキャンセル時においてユーザに指示された頁数だけ印刷された後に印刷ジョブをキャンセルさせる技術が開示されている。また、以下の特許文献４には、部単位印刷の場合において、印刷がキャンセルされたときに、即キャンセルを行うか、又は印刷中の部の印刷が終了してからキャンセルを行うのかを選択することができる技術が開示されている。
【先行技術文献】
【特許文献】
【０００６】
【特許文献１】特開２００２−８６８６３号公報
【特許文献２】特開２００２−２００８２５号公報
【特許文献３】特開２００２−１６６６２６号公報
【特許文献４】特開２００６−３２６８４１号公報
【発明の概要】
【発明が解決しようとする課題】
【０００７】
ところで、上述した通り、従来の画像形成装置では、ジョブの実行中に記録媒体の詰まりが生ずると、表示装置にエラー表示がなされてエラーが解除されるまでそのエラーに関する機能の使用が不可になる。しかしながら、記録媒体の供給元の変更が可能な供給装置を備える画像形成装置、又は録媒体の排出先の変更が可能な排出装置を備える画像形成装置では、記録媒体の詰まりの状況によっては、記録媒体の供給元又は排出先を変更するだけでそのエラーに関する機能の使用が可能な場合がある。かかる場合において、ユーザによるエラー解除の作業（詰まりが生じた記録媒体を除去する作業）無しに、記録媒体の供給元又は排出先を変更するだけで、エラーが生じた機能の使用が可能であればユーザの利便性を飛躍的に向上させることができると考えられる。
【０００８】
また、記録媒体に画像を形成する機能の使用が不可になった場合に、この機能以外の機能の使用が可能であれば、エラーが解除されるまで全ての作業が中止されるといった事態を緩和することができる。例えば、転写装置又は定着装置で記録媒体の詰まりが生じた場合に、原稿読み取り機能が使用可能であれば、画像形成装置のエラーが解除されるのを待たずに原稿の読み取り作業だけを前もって行うことができ、これによっても利便性を向上させることができると考えられる。
【０００９】
本発明は、上記事情に鑑みてなされたものであり、記録媒体の詰まり等によるジョブ中断のエラーが生じた場合であっても、ジョブの実行が可能な代替案を示すことでユーザの利便性を向上させることができる画像形成装置を提供することを目的とする。
【課題を解決するための手段】
【００１０】
上記課題を解決するために、本発明の画像形成装置は、記録媒体に画像を形成する画像形成装置において、前記記録媒体の詰まりを検出する検出手段と、前記記録媒体の詰まりが生じた旨をユーザに通知するエラー通知画面を表示する表示手段と、前記検出手段で前記記録媒体の詰まりが検出された場合に、前記検出手段の検出結果に基づいて使用可能な機能を判断し、使用可能と判断した機能の使用をユーザによって選択させる選択画面を前記エラー通知画面とともに前記表示手段に表示させる制御手段とを備えることを特徴としている。
また、本発明の画像形成装置は、前記記録媒体の供給元及び前記記録媒体の排出先の少なくとも一方が変更可能な搬送手段を備えており、前記制御手段は、前記検出手段で前記記録媒体の詰まりが検出された場合に、前記記録媒体の供給元及び前記記録媒体の排出先の少なくとも一方の変更によって前記記録媒体に画像を形成する画像形成機能が使用可能であるか否かを判断することを特徴としている。
また、本発明の画像形成装置は、前記選択画面には、前記記録媒体の供給元を変更させるための第１ボタン及び前記記録媒体の排出先を変更させるための第２ボタンの少なくとも一方のボタンが含まれることを特徴としている。
また、本発明の画像形成装置は、前記記録媒体に形成すべき画像の読み取りを行う読取手段を備えており、前記制御手段は、前記検出手段で前記記録媒体の詰まりが検出された場合に、読取手段で前記画像の読み取りが可能であるか否かを判断することを特徴としている。
また、本発明の画像形成装置は、前記選択画面にが、前記読取手段の使用を可能にするための第３ボタンが含まれることを特徴としている。
また、本発明の画像形成装置は、前記制御手段が、前記選択画面が前記エラー表示画面に含まれるように、前記選択画面及び前記エラー通知画面を前記前記表示手段に表示させることを特徴としている。
【発明の効果】
【００１１】
本発明によれば、記録媒体の詰まりを検出する検出手段で記録媒体の詰まりが検出された場合に、制御手段が検出手段の検出結果に基づいて使用可能な機能を判断し、使用可能と判断した機能の使用をユーザによって選択させる選択画面を前記エラー通知画面とともに表示手段に表示させているため、記録媒体の詰まり等によるジョブ中断のエラーが生じた場合であってもジョブの実行が可能であり、ユーザの利便性を向上させることができるという効果がある。
【図面の簡単な説明】
【００１２】
【図１】本発明の一実施形態による画像形成装置の外観の概要を示す正面図である。
【図２】本発明の一実施形態による画像形成装置の要部構成を示すブロック図である。
【図３】本発明の一実施形態による画像形成装置の動作を示すフローチャートである。
【図４】操作表示部４０に表示されるエラー通知画面の一例を示す図である。
【図５】エラー通知画面に表示される給紙元変更ボタン、排紙先変更ボタン、及びジョブ予約ボタンの一例を示す図である。
【発明を実施するための形態】
【００１３】
以下、図面を参照して本発明の一実施形態による画像形成装置について詳細に説明する。尚、以下では、画像形成装置の一種である複合機を例に挙げて説明する。図１は、本発明の一実施形態による画像形成装置の外観の概要を示す正面図である。本実施形態の画像形成装置としての複合機１は、コピー機能、プリント機能、ファクシミリ送信／受信機能を併せ持っており、原稿のコピー、コンピュータ等を用いて作成された各種データのプリントアウト、及び原稿のファクシミリ送受信が可能である。
【００１４】
図１に示す通り、複合機１は、印刷用紙（記録媒体）に対する画像形成等を行う本体部１０と、画像が形成された印刷用紙を排出するフィニッシャ２０（搬送手段）とからなる。本体部１０は、原稿の画像データの読み取りを行うスキャナ１１、定型の印刷用紙を収容する用紙カセット１２ａ〜１２ｃ（記録媒体の供給元）、並びに定型の印刷用紙及び定型外の印刷用紙の差し込みが可能である手差し用トレイ（図示省略）等を備える。また、フィニッシャ２０は、複数の排紙トレイ２１（記録媒体の排出先）を備える。
【００１５】
本体部１０は、用紙カセット１２ａ〜１２ｃ及び手差し用トレイの何れかから供給される印刷用紙に対し、スキャナ１１で読み取られた画像データ、不図示のパーソナルコンピュータから送信される画像データ、又はファクシミリ受信機能で受信された画像データに応じた画像の形成を行う。また、本体部１０は、スキャナ１１で読み取られた画像データ又は不図示のパーソナルコンピュータから送信される画像データの蓄積及びファクシミリ送信も行う。フィニッシャ２０は、ソーティング機能及びステイプル機能を有しており、本体部１０で画像が形成された印刷用紙の並び替えや綴じをユーザの指示に応じて行って複数の排紙トレイ２１の何れかに排出する。尚、印刷用紙の供給元及び印刷用紙の排出先はユーザの指示によって設定される。
【００１６】
図２は、本発明の一実施形態による画像形成装置の要部構成を示すブロック図である。図２に示す通り、本実施形態の画像形成装置である複合機１が備える本体部１０は、ＣＰＵ（Central Processing Unit）３１（制御手段）、ＲＯＭ（Read Only Memory）３２、ＲＡＭ（Random Access Memory）３３、各種センサ群３４（検出手段）、用紙搬送部３５（搬送手段）、画像読取部３６、画像データ記憶部３７、画像形成部３８、通信Ｉ／Ｆ部３９、及び操作表示部４０（表示手段）を備える。
【００１７】
ＣＰＵ３１は、ＲＯＭ３２に記憶されている制御プログラムに基づき、各種センサ群３４から出力される各種検出信号を参照しつつ、操作表示部４０から入力される操作指示、又は通信Ｉ／Ｆ部３９を介してクライアントコンピュータ（図示省略）から入力される各種指示に応じて本体部１０及びフィニッシャ２０の動作を制御する。例えば画像読取部３６による画像データの読み取り制御、或いは、画像データ記憶部３７に記憶されている原稿画像データ、プリント画像データ、及びファクシミリ画像データ等の各種画像データのプリント制御や送信制御を行う。
【００１８】
また、ＣＰＵ３１は、各種センサ群３４によって印刷用紙の詰まり（紙詰まり）が検出された場合には、紙詰まりが生じた旨をユーザに通知するエラー通知画面を操作表示部４０に表示する制御を行う。このとき、ＣＰＵ３１は、各種センサ群３４の検出結果に基づいて、複合機１が備える機能のうちの使用可能な機能を判断し、使用可能と判断した機能の使用をユーザによって選択させる選択画面をエラー通知画面とともに操作表示部４０に表示する制御を行う。尚、かかる処理の詳細については後述する。
【００１９】
ＲＯＭ３２は、ＣＰＵ３１で実行される制御プログラム及びその他のデータを記憶する不揮発性メモリである。ＲＡＭ３３は、ＣＰＵ３１が制御プログラムを実行して各種動作を行う際に、データの一時保存先となるワーキングエリアとして用いられる揮発性メモリである。各種センサ群３４は、用紙切れ検出センサ、用紙詰まり検出センサ、用紙位置検出センサ、温度センサ等の画像形成動作に必要な各種センサであり、それぞれのセンサで検出した各種の情報を検出信号としてＣＰＵ３１に出力する。
【００２０】
用紙搬送部３５は、搬送ローラ、搬送ローラ駆動用のモータ等を備えており、用紙カセット１２ａ〜１２ｃに収納されている印刷用紙を画像形成部３８に搬送するとともに、画像形成部３８で画像形成処理後が行われた印刷用紙をフィニッシャ２０に搬送する。画像読取部３６は、ＡＤＦ（自動原稿送り装置）及びＣＣＤ（Charge Coupled Device）センサ等を備えており、ＡＤＦによって順次給紙される原稿の画像をＣＣＤセンサに読み取らせ、原稿画像に基づく原稿画像データを出力する。尚、上記のＡＤＦ及びＣＣＤは図１に示すスキャナ１１に設けられている。また、画像読取部３６から出力された原稿画像データはＣＰＵ３１を介して画像データ記憶部３７に記憶される。
【００２１】
画像データ記憶部３７は、フラッシュメモリ等のメモリを備えており、ＣＰＵ３１の制御の下で、原稿画像データ、通信Ｉ／Ｆ部３９がクライアントコンピュータ（図示省略）から受信するプリント画像データ、及び通信Ｉ／Ｆ部３９が公衆網（図示省略）から受信するファクシミリ画像データを記憶する。
【００２２】
画像形成部３８は、ＣＰＵ３１の制御の下で、画像データ記憶部３７に記憶されている原稿画像データ、プリント画像データ、又はファクシミリ画像データを用いて画像形成処理を行う。具体的には、上記の各種画像データに応じた画像形成画像を用紙搬送部３５から搬送される印刷用紙にトナーを用いて転写し、定着ローラによってその画像形成画像の定着処理を行う。通信Ｉ／Ｆ部３９は、クライアントコンピュータ（図示省略）や公衆網（図示省略）に接続され、このクライアントコンピュータや公衆網との間で各種信号の送受信を行う。
【００２３】
操作表示部４０は、タッチパネル４０ａ及び各種操作キーを備えており、操作キーの操作内容をＣＰＵ３１に出力するとともに、ＣＰＵ３１の制御の下でタッチパネル４０ａへ種々の情報を表示する。例えば、前述したエラー通知画面や選択画面を表示する。操作表示部４０が備える各種操作キーは、例えばコピー機能切替キー、プリント機能切替キー、スキャン機能切替キー、ファクシミリ機能切替キー、スタートキー、ストップ／クリアキー、電源キー、テンキー（数値入力キー）が挙げられる。尚、コピー機能切替キー、プリント機能切替キー、スキャン機能切替キー、及びファクシミリ機能切替キーは、それぞれの機能をユーザが使用する場合に、各機能の動作モードへ複合機１を切り替える為のキーである。
【００２４】
また、タッチパネル４０ａに各種ボタンを表示することによって、以上の各種キー以外のソフトキーの利用も可能である。本実施形態で用いられるソフトキーは、例えば上記の選択画面に表示される給紙元変更ボタン、排紙先変更ボタン、及びジョブ予約ボタンが挙げられる。給紙元変更ボタンは、紙詰まりが生じた場合に印刷用紙の給紙元を変更すれば画像形成が可能であるときにユーザの指示で供給元の変更を可能とするボタンである。排紙先変更ボタンは、紙詰まりが生じた場合に印刷用紙の排出先を変更すれば画像形成が可能であるときにユーザの指示で排出先の変更を可能とするボタンである。また、ジョブ予約ボタンは、紙詰まりが生じた場合にスキャナ１１を用いた原稿の画像データの読み取りを可能とするボタンである。尚、これらボタンの詳細については後述する。
【００２５】
また、複合機１が備えるフィニッシャ２０は、本体部１０のＣＰＵ３１と接続されており、ＣＰＵ３１の制御の下で、画像が形成された印刷用紙の並び替えや綴じを行うとともに、指示された排紙トレイ２１に印刷用紙を排出する。尚、このフィニッシャ２０は、本体部１０の各種センサ群３４が備える用紙詰まり検出センサと同様のセンサを備えており、その検出結果を検出信号としてＣＰＵ３１に出力する。
【００２６】
次に、上記構成における複合機１の動作について詳細に説明する。図３は、本発明の一実施形態による画像形成装置の動作を示すフローチャートである。図３に示す処理は、印刷用紙に対する画像の形成中に紙詰まりが生じ、各種センサ群３４から紙詰まりが生じた旨を示す検出信号がＣＰＵ３１に出力されると開始される。処理が開始されると、まずＣＰＵ３１は、それまで行われていた印刷用紙に画像を形成するジョブを中断し、紙詰まりが生じた旨をユーザに通知するエラー通知画面を操作表示部４０に表示される制御を行う（ステップＳ１１）。
【００２７】
図４は、操作表示部４０に表示されるエラー通知画面の一例を示す図である。図４に示す通り、操作表示部４０には、エラーが生じた旨の表示、エラー番号、エラーの内容、及びエラーを解除するための対策がエラー通知画面に表示される。図４に示す例では、エラーが生じた旨として「システムエラー」なる表示がなされ、エラー番号として「０００１」が表示され、エラーの内容として「紙詰まりが生じました。」なる表示がなされ、エラーを解除するための対策として「ユニットＢの紙を取り除いてください」なる表示がなされている。かかる表示内容を参照することで、ユーザはエラーの原因及び対策を容易に把握することができる。
【００２８】
次に、ＣＰＵ３１は、各種センサ部３４から出力される検出信号に基づいて、給紙元の変更によって中断したジョブの継続が可能であるか否か（つまり、プリント機能が使用可能であるか否か）を判断する（ステップＳ１２）。具体的に、ＣＰＵ３１は、紙詰まりが生じた場所に応じて中断したジョブの継続が可能であるか否かを判断する。例えば、用紙カセット１２ａ〜１２ｃの取り出し口付近で紙詰まりが生じた場合には中断したジョブの継続が可能であると判断し、画像形成部３８で紙詰まりが生じた場合には中断したジョブの継続が不可能であると判断する。
【００２９】
ステップＳ１２の判断結果が「ＹＥＳ」である場合には、ＣＰＵ３１は操作表示部４０を制御し、ユーザの指示に基づいて印刷用紙の給紙元を変更する給紙元変更ボタンをエラー通知画面内に表示させる（ステップＳ１３）。ステップＳ１２の判断結果が「ＮＯ」である場合、又はステップＳ１３の処理が終了した場合には、ＣＰＵ３１は各種センサ部３４から出力される検出信号に基づいて、排紙先の変更によって中断したジョブの継続が可能であるか否か（つまり、プリント機能が使用可能であるか否か）を判断する（ステップＳ１４）。
【００３０】
具体的に、ＣＰＵ３１は、ステップＳ１２における判断と同様に、紙詰まりが生じた場所に応じて中断したジョブの継続が可能であるか否かを判断する。例えば、フィニッシャ２０の排紙トレイ２１付近で紙詰まりが生じた場合には中断したジョブの継続が可能であると判断し、画像形成部３８で紙詰まりが生じた場合には中断したジョブの継続が不可能であると判断する。
【００３１】
ステップＳ１４の判断結果が「ＹＥＳ」である場合には、ＣＰＵ３１は操作表示部４０を制御し、ユーザの指示に基づいて印刷用紙の排紙先を変更する排紙先変更ボタンをエラー通知画面内に表示させる（ステップＳ１５）。ステップＳ１４の判断結果が「ＮＯ」である場合、又はステップＳ１５の処理が終了した場合には、ＣＰＵ３１は各種センサ部３４から出力される検出信号に基づいて、スキャナ１１の使用が可能であるか否かを判断する（ステップＳ１６）。
【００３２】
ステップＳ１６の判断結果が「ＹＥＳ」である場合には、ＣＰＵ３１は操作表示部４０を制御し、ユーザの指示に基づいて行われる新たなジョブ（スキャナ１１を用いた原稿の画像データの読み取りジョブ）を予約するジョブ予約ボタンをエラー通知画面内に表示させる（ステップＳ１７）。図５は、エラー通知画面に表示される給紙元変更ボタン、排紙先変更ボタン、及びジョブ予約ボタンの一例を示す図である。
【００３３】
図５に示す通り、エラー通知画面には、エラーが生じた旨の表示である「システムエラー」、エラー番号「０００１」、エラーの内容を示す表示である「紙詰まりが生じました。」、及びエラーを解除するための対策を示す表示である「ユニットＢの紙を取り除いてください」なる表示に加えて、給紙元変更ボタンＢ１、排紙先変更ボタンＢ２、及びジョブ予約ボタンＢ３が表示されている。操作表示部４０にはタッチパネル４０ａが設けられているため、給紙元変更ボタンＢ１、排紙先変更ボタンＢ２、及びジョブ予約ボタンＢ３の表示位置を押圧することにより、各々のボタンの操作が可能である。
【００３４】
尚、図５では、理解を容易にするために、給紙元変更ボタンＢ１、排紙先変更ボタンＢ２、及びジョブ予約ボタンＢ３の全てがエラー通知画面に表示された例を図示している。しかしながら、ステップＳ１２，Ｓ１４，Ｓ１６の判断結果によっては表示されないボタンが生じたり、或いは全てのボタンが表示されないこともある。ここで、ステップＳ１２，Ｓ１４，Ｓ１６の判断結果が全て「ＮＯ」であって、給紙元変更ボタンＢ１、排紙先変更ボタンＢ２、及びジョブ予約ボタンＢ３の全ての表示が行われない場合には、図３に示す処理は終了する。
【００３５】
以上の処理で、給紙元変更ボタンＢ１、排紙先変更ボタンＢ２、及びジョブ予約ボタンＢ３の少なくとも１つがエラー表示画面に表示されて、何れかのボタンがユーザによって操作された場合には、ＣＰＵ３１は操作されたボタンの種類を判断する（ステップＳ１８）。ユーザによって給紙元変更ボタンＢ１が操作されたと判断した場合には、ＣＰＵ３１は操作表示部４０を制御して、変更可能な給紙元の一覧を示す画面を表示させる。ユーザがその画面を操作することによって給紙元が選択されると、印刷用紙の給紙元をユーザによって選択された給紙元に変更し、中断したジョブを継続させる制御を行う（ステップＳ１９）。
【００３６】
一方、ユーザによって排紙先変更ボタンＢ２が操作されたと判断した場合には、ＣＰＵ３１は操作表示部４０を制御して、変更可能な排紙先の一覧を示す画面を表示させる。ユーザがその画面を操作することによって排紙先が選択されると、印刷用紙の排紙先をユーザによって選択された排紙先に変更し、中断したジョブを継続させる制御を行う（ステップＳ２０）。
【００３７】
他方、ユーザによってジョブ予約ボタンＢ３が操作されたと判断した場合には、ＣＰＵ３１は操作表示部４０を制御して、スキャナ１１を用いた原稿の読み取りが可能である旨を示す画面を操作表示部４０に表示させる。そして、ユーザが原稿をスキャナ１１に設定した上で操作表示部４０を操作して読み取り開始指示を行うことにより、新たなジョブが開始される（ステップＳ２１）。尚、以上のステップＳ１９は給紙元変更ボタンＢ１が表示されない場合には実行されず、以上のステップＳ２０は排紙先変更ボタンＢ２が表示されない場合には実行されず、以上のステップＳ２１はジョブ予約ボタンＢ３が表示されていない場合には実行されない。
【００３８】
以上説明したステップＳ１９〜Ｓ２１の何れかの処理が行われると、ＣＰＵ３１は操作表示部４０を操作してエラー通知画面に表示された給紙元変更ボタンＢ１、排紙先変更ボタンＢ２、ジョブ予約ボタンＢ３を消去させる（ステップＳ２２）。尚、ステップＳ１９，Ｓ２０の処理で中断したジョブが継続された場合、或いはステップＳ２１の処理で新たなジョブが開示された場合であっても、紙詰まりが解消された訳ではないため、図４に示すエラー通知画面の表示はなされたままになる。
【００３９】
以上説明した通り、本実施形態では、紙詰まりが生じた場合にその旨を通知するエラー通知画面を操作表示部４０に表示している。そして、各種センサ部３４から出力される検出信号に基づいて、給紙元又は排紙先の変更によって中断したジョブの継続が可能であるか否か、及びスキャナ１１の使用が可能であるか否かを判断し、その判断結果に応じて給紙元変更ボタンＢ１、排紙先変更ボタンＢ２、ジョブ予約ボタンＢ３をエラー通知画面に表示している。
【００４０】
このため、紙詰まりによるジョブ中断のエラーが生じた場合であっても、紙詰まりの状況によっては印刷用紙を取り除く作業を行うことなくジョブの再開を行うことができる。また、紙詰まりによるジョブ中断のエラーが生じた場合であっても、スキャナ１１が使用可能であれば原稿の読み取りを行うことができる。このように、本実施形態では、紙詰まりが生じた場合でも使用可能な複合機１の機能を使用することができるため、ユーザの利便性を向上させることができる。
【００４１】
以上、本発明の一実施形態による画像形成装置について説明したが、本発明は上述した実施形態に制限されることなく、本発明の範囲内で自由に変更が可能である。例えば、上記実施形態では、紙詰まりが生じた場合に、給紙元変更ボタンＢ１、排紙先変更ボタンＢ２、ジョブ予約ボタンＢ３をエラー通知画面に表示する例について説明したが、これらのボタンの全てを表示する必要はない。例えば、フィニッシャ２０を備えない複合機においては、排紙先変更ボタンＢ２の表示は行われない。また、必要に応じてこれら以外の機能を使用可能とするボタンを追加しても良い。
【００４２】
また、上記実施形態では、給紙元変更ボタンＢ１、排紙先変更ボタンＢ２、ジョブ予約ボタンＢ３をエラー通知画面内に表示する例について説明したが、これらのボタンをエラー通知画面とは異なる画面（例えば、エラー通知画面とは無関係に設けられた表示窓（ウィンドウ）内に表示しても良い。また、タッチパネル４０ａを備えていない場合には、給紙元変更ボタンＢ１、排紙先変更ボタンＢ２、ジョブ予約ボタンＢ３の機能を操作表示部４０が備える各種操作キーに割り当てるとともに、そのキーの機能の説明を表示するようにしても良い。
【００４３】
また、上記実施形態では、図３に示す通り、給紙元の変更でジョブ継続可であるか否か（ステップＳ１２）、排紙先の変更でジョブ継続可であるか否か（ステップＳ１４）、及びスキャナ１１の使用が可能であるか否か（ステップＳ１６）の順で判断を行っていたが、この判断順は自由に変更が可能である。また、図３では、エラー通知画面を表示した後でボタンの表示を追加的に行う例について説明したが、エラー通知画面を表示する前に、各種ボタンの表示を行うか否かを判断しても良い。
【００４４】
尚、エラー通知画面を表示した後でボタンの表示を追加的に行うことによって、ユーザの操作を誘導する効果が得られる。つまり、ボタンをエラー通知画面の後に表示することで、エラー通知画面の内容を参照したユーザの視点を後から表示されるボタンに移すことができるため、ユーザが次に行うべき操作を誘導することができる。また、エラー通知画面とボタンとを同時に表示しても良い。同時に表示する場合には、図３に示すステップＳ１１の処理がステップＳ１３，Ｓ１５，Ｓ１７の処理と同時に行われる。
【符号の説明】
【００４５】
１                複合機
１１              スキャナ
１２ａ〜１２ｃ    用紙カセット
２０              フィニッシャ
２１              排紙トレイ
３１              ＣＰＵ
３４              各種センサ群
３５              用紙搬送部
４０              操作表示部
Ｂ１              給紙元変更ボタン
Ｂ２              排紙先変更ボタン
Ｂ３              ジョブ予約ボタン
【図１】
2010280097.tif 000003
【図２】
2010280097.tif 000004
【図３】
2010280097.tif 000005
【図４】
2010280097.tif 000006
【図５】
2010280097.tif 000007